(57)【要約】【課題】リクライニングの傾斜角度にかかわらず常に所望の聴取環境が確保できるベッド装置を提供する。【解決手段】底板部２の頭部側端部にヘッドボード３が一体に設けられ、ヘッドボード３の底板部２に臨む面にスピーカ４，４が配設されている。ベッド本体１に対して底板部２を傾斜（リクライニング）させると、スピーカ４，４が配設されているヘッドボード３が底板部２と一体に移動する。故に、スピーカ４，４と底板部２との相対的な位置関係が変化しないから、底板部２の傾斜角度にかかわらず常に所望の聴取環境が確保できる。【選択図】図１
2008237727.tif 000002
【特許請求の範囲】
【請求項１】
ベッド本体と、ベッド本体の上面側に設けられベッド本体に対して頭部側が上下する方向で傾斜角度が調節可能である底板部とを備えたリクライニング式のベッド装置において、
底板部の頭部側端部にヘッドボードが一体に設けられ、当該ヘッドボードの底板部に臨む面に１乃至複数のスピーカが配設されたことを特徴とするベッド装置。
【請求項２】
前記スピーカは指向性を有することを特徴とする請求項１記載のベッド装置。
【請求項３】
複数のスピーカが前記ヘッドボードの幅方向に沿った一端から他端まで並設されたことを特徴とする請求項１又は２記載のベッド装置。
【請求項４】
前記スピーカの音軸が底板部の幅方向中央に向けられていることを特徴とする請求項１又は２記載のベッド装置。
【請求項５】
前記スピーカはヘッドボードに対して回動自在に配設されていることを特徴とする請求項１又は２記載のベッド装置。
【請求項６】
前記ヘッドボードは幅方向における両端部が内側に傾斜してなり、当該傾斜した端部に前記スピーカが配設されていることを特徴とする請求項１〜４の何れか１項に記載のベッド装置。
【請求項７】
前記ヘッドボードに照明器具が取り付けられていることを特徴とする請求項１〜６の何れか１項に記載のベッド装置。
【請求項８】
前記照明器具の具備するプラグが挿抜自在に差込接続されるジャックを前記ヘッドボードに具備し、当該ジャックを介して前記照明器具に給電することを特徴とする請求項１〜７の何れか１項に記載のベッド装置。
【請求項９】
前記ヘッドボード上面における幅方向両端部に前記ジャックがそれぞれ設けられていることを特徴とする請求項８記載のベッド装置。
【発明の詳細な説明】
【技術分野】
【０００１】
本発明は、ベッド装置に関し、特にスピーカを備えるベッド装置に関するものである。
【背景技術】
【０００２】
従来のスピーカを備えるベッド装置として、ベッド本体の頭部側に幅方向に沿って一対のレールを橋架し、かかるレールに沿って一対のスピーカユニットをスライド移動自在に配設してなるベッド装置が提案されている（特許文献１参照）。
【特許文献１】特開２００４−２９８２９１号公報
【発明の開示】
【発明が解決しようとする課題】
【０００３】
ところで、上記従来例ではベッド本体上に寝ている人の頭部の位置が最適なリスニングポイントになるため、リクライニング式のベッド装置に適用した場合、リクライニングすることで最適なリスニングポイントから外れた位置で音を聞くことになり、所望の聴取環境が確保できないという問題があった。
【０００４】
本発明は上記事情に鑑みて為されたものであり、その目的は、リクライニングの傾斜角度にかかわらず常に所望の聴取環境が確保できるベッド装置を提供することにある。
【課題を解決するための手段】
【０００５】
請求項１の発明は、上記目的を達成するために、ベッド本体と、ベッド本体の上面側に設けられベッド本体に対して頭部側が上下する方向で傾斜角度が調節可能である底板部とを備えたリクライニング式のベッド装置において、底板部の頭部側端部にヘッドボードが一体に設けられ、当該ヘッドボードの底板部に臨む面に１乃至複数のスピーカが配設されたことを特徴とする。
【０００６】
請求項２の発明は、請求項１の発明において、前記スピーカは指向性を有することを特徴とする。
【０００７】
請求項３の発明は、請求項１又は２の発明において、複数のスピーカが前記ヘッドボードの幅方向に沿った一端から他端まで並設されたことを特徴とする。
【０００８】
請求項４の発明は、請求項１又は２の発明において、前記スピーカの音軸が底板部の幅方向中央に向けられていることを特徴とする。
【０００９】
請求項５の発明は、請求項１又は２の発明において、前記スピーカはヘッドボードに対して回動自在に配設されていることを特徴とする。
【００１０】
請求項６の発明は、請求項１〜４の何れか１項の発明において、前記ヘッドボードは幅方向における両端部が内側に傾斜してなり、当該傾斜した端部に前記スピーカが配設されていることを特徴とする。
【００１１】
請求項７の発明は、請求項１〜６の何れか１項の発明において、前記ヘッドボードに照明器具が取り付けられていることを特徴とする。
【００１２】
請求項８の発明は、請求項１〜７の何れか１項の発明において、前記照明器具の具備するプラグが挿抜自在に差込接続されるジャックを前記ヘッドボードに具備し、当該ジャックを介して前記照明器具に給電することを特徴とする。
【００１３】
請求項９の発明は、請求項８の発明において、前記ヘッドボード上面における幅方向両端部に前記ジャックがそれぞれ設けられていることを特徴とする。
【発明の効果】
【００１４】
請求項１の発明によれば、底板部の頭部側端部にヘッドボードが一体に設けられ、当該ヘッドボードの底板部に臨む面に１乃至複数のスピーカが配設されているので、ベッド本体に対して底板部を傾斜させる（リクライニングさせる）場合、スピーカが配設されているヘッドボードが底板部と一体に移動するから、スピーカと底板部との相対的な位置関係が変化しない。その結果、リクライニングの傾斜角度にかかわらず常に所望の聴取環境が確保できる。
【００１５】
請求項２の発明によれば、スピーカが指向性を有するため、例えば、スピーカから鳴動される音が隣のベッドで寝ている人に聞こえることが抑制できる。
【００１６】
請求項３の発明によれば、複数のスピーカが前記ヘッドボードの幅方向に沿った一端から他端まで並設されたので、ステレオ等の音響効果が得やすくなる。
【００１７】
請求項４の発明によれば、スピーカの音軸が底板部の幅方向中央に向けられているので、底板部上に居る聴取者以外の人にスピーカから鳴動される音が聞こえるのをさらに抑制できる。
【００１８】
請求項５の発明によれば、スピーカはヘッドボードに対して回動自在に配設されているので、底板部上における聴取者の位置に応じてスピーカを回動させることにより所望の聴取環境が容易に確保できる。
【００１９】
請求項６の発明によれば、ヘッドボードは幅方向における両端部が内側に傾斜してなり、当該傾斜した端部に前記スピーカが配設されているので、ヘッドボードの厚み寸法を大きくせずにスピーカの音軸を底板部の幅方向中央に向けることができる。
【００２０】
請求項７の発明によれば、ヘッドボードに照明器具が取り付けられているので、底板部上に横たわった状態で読書する際に当該照明器具を読書灯として利用することができ、しかも、底板部の傾斜角度にかかわらず照明器具と底板部との相対的な位置関係が変化しないから、常に所望の照明環境が確保できる。
【００２１】
請求項８の発明によれば、照明器具の具備するプラグが挿抜自在に差込接続されるジャックを前記ヘッドボードに具備し、当該ジャックを介して前記照明器具に給電するので、照明器具の設置や交換が容易に行える。
【００２２】
請求項９の発明によれば、ヘッドボード上面における幅方向両端部に前記ジャックがそれぞれ設けられているので、照明器具の位置を変えたり、あるいは２つの照明器具を同時に使用することができて使い勝手が向上できる。
【発明を実施するための最良の形態】
【００２３】
以下、図面を参照して本発明の実施形態を詳細に説明する。
【００２４】
（実施形態１）
本実施形態のベッド装置は、図１に示すように扁平な直方体状に形成されているベッド本体１と、ベッド本体１の上面側に設けられた矩形板状の底板部２と、底板部２の頭部側端部に一体に形成されたヘッドボード３と、ヘッドボード３の底板部２に臨む面に配設された１乃至複数（図示例では２つ）のスピーカ４，４とを備えている。なお、底板部２の上にはマットレス５が載置される。
【００２５】
底板部２は長手方向の略中央並びに中央から脚部寄りの位置で屈曲自在に形成されており、図示しないリクライニング機構によりベッド本体１に対して頭部側並びに脚部側が上下する方向で傾斜角度が調節可能となっている。この種のリクライニング機構は従来周知であるから詳細な構造並びに動作についての図示並びに説明は省略する。なお、リクライニング機構の駆動制御はベッド本体１の側方に配設されているコントローラ６を使って行うことができる。コントローラ６には複数の操作釦が配設されており、これらの操作釦を操作することで傾斜角度（リクライニング角度）の調節等を行うことができる。
【００２６】
スピーカ４，４は指向性を有しており、互いの音軸が底板部２の頭部側における幅方向中央で交差するようにヘッドボード３に配設されている。ここで、ベッド本体１には外部の音響機器（例えば、コンパクトディスク再生装置やディジタル・オーディオ・プレイヤーなど）から出力されるオーディオ信号を入力する入力端子が設けられ、入力端子に入力されたオーディオ信号をアンプ（図示せず）で増幅した後にスピーカ４，４へ送ることで音響機器で再生された音楽等をスピーカ４，４から鳴動させることができる。但し、音響機器をベッド本体１に内蔵しても構わないし、音響機器で再生される音楽以外の音、例えば、テレビ放送の音声や映像機器（ＤＶＤ再生装置など）で再生された音声などを入力端子から入力してスピーカ４，４から鳴動させることも可能であり、スピーカ４，４から鳴動させる音の種類や内容については本実施形態に限定されるものではない。
【００２７】
而して、本実施形態のベッド装置では、底板部２の頭部側端部にヘッドボード３が一体に設けられ、ヘッドボード３の底板部２に臨む面にスピーカ４，４が配設されているので、ベッド本体１に対して底板部２を傾斜（リクライニング）させると、スピーカ４，４が配設されているヘッドボード３が底板部２と一体に移動するから（図１参照）、スピーカ４，４と底板部２との相対的な位置関係が変化せず、従って、底板部２の傾斜角度にかかわらず常に所望の聴取環境が確保できるものである。また、スピーカ４，４が指向性を有しており、互いの音軸が底板部２の頭部側における幅方向中央で交差するようにヘッドボード３に配設されているため、底板部２上に居る聴取者以外の人、例えば、隣のベッドに寝ている人にスピーカ４，４から鳴動される音が聞こえるのを抑制することができる。
【００２８】
（実施形態２）
本実施形態のベッド装置は、図２に示すようにスピーカ４，４がヘッドボード３に対して回動自在に支持されている点に特徴がある。但し、その他の構成については実施形態１と共通であるから、共通の構成要素には同一の符号を付して説明を省略する。
【００２９】
各スピーカ４，４は、それぞれ幅方向における中央寄りの端部でヘッドボード３に軸支されており、図２（ｂ）に示すように前記端部を支点として回動自在となっている。従って、各スピーカ４，４を回動することで互いの音軸が交差する点（最適な聴取位置）を調整することができる。
【００３０】
上述のように本実施形態によれば、スピーカ４，４がヘッドボード３に対して回動自在に配設されているので、底板部２上における聴取者の位置に応じてスピーカ４，４を回動させることにより所望の聴取環境が容易に確保できるという利点がある。
【００３１】
（実施形態３）
本実施形態のベッド装置は、図３（ａ）に示すようにヘッドボード３の幅方向と略同寸法のスピーカユニット４０が配設されている点に特徴がある。但し、その他の構成については実施形態１と共通であるから、共通の構成要素には同一の符号を付して説明を省略する。
【００３２】
スピーカユニット４０は、ヘッドボード３の幅方向に沿って並設された複数のスピーカ（図示せず）と、スピーカの前面を覆うメッシュ（網目）構造のカバー４１とで構成されている。
【００３３】
このように本実施形態によれば、複数のスピーカがヘッドボード３の幅方向に沿った一端から他端まで並設されてなるスピーカユニット４０を備えているので、２つのスピーカ４，４しか持たない実施形態１，２に比べてステレオ等の音響効果が得やすくなるという利点がある。
【００３４】
ここで、図３（ｂ）に示すようにヘッドボード３の幅方向における両端部を内側に傾斜させれば、当該傾斜した端部３ａ，３ａにスピーカが配設されているため、ヘッドボード３の厚み寸法を大きくせずにスピーカの音軸を底板部２の幅方向中央に向けることができる。
【００３５】
（実施形態４）
本実施形態のベッド装置は、図４（ａ）に示すように読書灯に用いる照明器具７がヘッドボード３に取り付けられた点に特徴がある。但し、その他の構成については実施形態１と共通であるから、共通の構成要素には同一の符号を付して説明を省略する。
【００３６】
照明器具７は、図４（ｂ）に示すように円筒形の器具本体７０内に図示しない光源と点灯回路を収納してなる小形のスポットライトである。器具本体７０の後端部には器具本体７０の軸方向と直交する方向にプラグ部７１が突設されている。プラグ部７１は、絶縁材料によって円柱形状に形成された本体７１ａと、本体７１ａの外周面に金属板を巻設してなる第１コンタクト７２と、本体７１ａの先端部から突設された尖塔形の第２コンタクト７３とを具備しており、本体７１ａによって電気的に絶縁された第１コンタクト７２並びに第２コンタクト７３が器具本体７０内に収納されている点灯回路の電源入力端子（図示せず）に接続されている。但し、１乃至複数の回転軸を有する従来周知の回動機構によってプラグ部７１を器具本体７０に対して回動自在としてもよい。
【００３７】
一方、ヘッドボード３上面における幅方向両端部には、照明器具７のプラグ部７１が挿抜自在に差込接続されるジャック部８，８が設けられている。ジャック部８は、絶縁材料により一端側が開口した有底円筒形に形成されヘッドボード３内に埋込配設されるジャック本体８０と、ジャック本体８０内に一部が露出してプラグ部７１の第１コンタクト７２と弾接する第１接触子８１と、同じくジャック本体８０内に一部が露出してプラグ部７１の第２コンタクト７３と弾接する第２接触子８２とを具備している。また、ベッド本体１からは先端に電源プラグが付設された電源ケーブル（図示せず）が導出されており、壁面に埋込配設されているコンセントに電源プラグを差込接続すれば、電源ケーブルを介してジャック部８の第１接触子８１と第２接触子８２が電源に接続されるようになっている。なお、ジャック部８が接続される電源は、商用交流電源の他、商用交流電源から変圧器等により電圧や周波数を変換した専用電源あるいは直流電源であってもよい。
【００３８】
而して、ジャック本体８０内にプラグ部７１を挿入すれば、プラグ部７１の第１コンタクト７２にジャック部８の第１接触子８１が弾接するとともに第２コンタクト８３に第２接触子８２が弾接してプラグ部７とジャック部８が機械的且つ電気的に接続され、ジャック部８からプラグ部７を介して照明器具７に電源が給電される。但し、ジャック部８への給電をコントローラ６で入切するようにしても構わない。
【００３９】
上述のように本実施形態によれば、ベッド装置に横たわった状態で読書する際、ヘッドボード３に取り付けた照明器具７で手元を照らすことができる。また、底板部２をリクライニングしてもヘッドボード３に取り付けた照明器具７と底板部２との相対的な位置関係が変わらず、リクライニング角度によらず読書に最適な照明環境を得ることができる。
【図面の簡単な説明】
【００４０】
【図１】本発明の実施形態１を示す外観図である。
【図２】本発明の実施形態２を示し、（ａ）は外観図、（ｂ）は一部省略した平面図である。
【図３】（ａ），（ｂ）は本発明の実施形態３を示す外観図である。
【図４】本発明の実施形態４を示し、（ａ）は一部省略した外観図、（ｂ）はヘッドボード並びに照明器具の断面図である。
【符号の説明】
【００４１】
１  ベッド本体
２  底板部
３  ヘッドボード
４  スピーカ
【図１】
2008237727.tif 000003
【図２】
2008237727.tif 000004
【図３】
2008237727.tif 000005
【図４】
2008237727.tif 000006